(57)【特許請求の範囲】
【請求項１】
物理下り制御チャネル（PDCCH)のサーチ空間のマッピング方法であって、
リソース割り当てスキームに基づいて、前記PDCCHのために割り当てるサーチ空間を確定し；及び
予め設定された間隔に基づいて、前記PDCCHの各候補位置（candidate)を前記サーチ空間のロジカル時間周波数リソースにマッピングすることを含み、
前記PDCCHの各candidateのサーチ空間は、離散的なロジカル時間周波数リソースであり、
前記方法は、更に、
前記PDCCHの各candidateに含まれるeCCE（enhanced  Control  Channel  Element）を、同一のリソースブロック（RB）又は隣接したRB内のサブキャリアにマッピングすることを含む、方法。
【請求項２】
請求項１に記載の方法であって、
予め設定された前記間隔は、ユーザ装置がフィードバックしたサブバンドバンド幅（subband  size）である、方法。
【請求項３】
請求項１に記載の方法であって、
予め設定された前記間隔は、ユーザ装置のリソースブロック組（RBG)である、方法。
【請求項４】
請求項２又は３に記載の方法であって、
前記サーチ空間のリソース数が、前記PDCCHのcandidateの総数と、予め設定された前記間隔との乗積よりも小さければ、先ず、前記PDCCHの一部のcandidateを、予め設定された各間隔に対応するロジカル時間周波数リソースにマッピングし、次に、循環シフトスキームで、残りのcandidateを、予め設定された各間隔に対応するロジカル時間周波数リソースにマッピングする、方法。
【請求項５】
請求項４に記載の方法であって、更に、
Aggregation  levelに基づいて、前記PDCCHのcandidateの総数を確定することを含む、方法。
【請求項６】
請求項１に記載の方法であって、
前記PDCCHの各candidateが、対応する予め設定された間隔の対応するロジカル時間周波数リソースにおける位置は任意である、方法。
【請求項７】
請求項１に記載の方法であって、更に、
１個の予め設定された前記間隔内に対応する割り当てユニットの順番号をUEに送信することを含む、方法。
【請求項８】
物理下り制御チャネル（PDCCH)のサーチ空間のマッピング方法であって、
リソース割り当てスキームに基づいて、前記PDCCHのために割り当てるサーチ空間を確定し；及び、
前記PDCCHの各候補位置（candidate)に含まれるリソースブロック（RB)の複数の割り当てユニットを、割り当てられたサーチ空間に均一にマッピングすることを含み、
前記PDCCHの各candidateのサーチ空間は、離散的なロジカル時間周波数リソースである、方法。
【請求項９】
物理下り制御チャネル（PDCCH)のサーチ空間のマッピングを行うための基地局であって、
リソース割り当てスキームに基づいて、前記PDCCHのために割り当てるサーチ空間を確定する第１確定ユニット；及び
予め設定された間隔に基づいて、前記PDCCHの各候補位置(candidate)を前記サーチ空間のロジカル時間周波数リソースにマッピングする第１マッピングユニットを含み、
前記PDCCHの各candidateのサーチ空間は、離散的なロジカル時間周波数リソースであり、
前記基地局は、更に、
前記PDCCHの各candidateに含まれるeCCE（enhanced  Control  Channel  Element）を、同一のリソースブロック（RB）又は隣接したRB内のサブキャリアにマッピングする第２マッピングユニットを含む、基地局。
【請求項１０】
請求項９に記載の基地局であって、
予め設定された前記間隔は、ユーザ装置がフィードバックしたサブバンドバンド幅（subband  size）である、基地局。
【請求項１１】
請求項９に記載の基地局であって、
予め設定された前記間隔は、ユーザ装置のリソースブロック組（RBG)である、基地局。
【請求項１２】
請求項１０又は１１に記載の基地局であって、
前記サーチ空間のリソース数が、前記PDCCHのcandidateの総数と、予め設定された前記間隔との乗積よりも小さければ、前記第１マッピングユニットは、先ず、前記PDCCHの一部のcandidateを、予め設定された各間隔に対応するロジカル時間周波数リソースにマッピングし、次に、循環シフトスキームで、残りのcandidateを、予め設定された各間隔に対応するロジカル時間周波数リソースにマッピングする、基地局。
【請求項１３】
請求項１２に記載の基地局であって、更に、
Aggregation  levelに基づいて、前記PDCCHのcandidateの総数を確定する第２確定ユニットを含む、基地局。
【請求項１４】
請求項９に記載の基地局であって、
前記PDCCHの各candidateが、対応する予め設定された間隔の対応するロジカル時間周波数リソースにおける位置は任意である、基地局。
【請求項１５】
請求項９に記載の基地局であって、更に、
１個の予め設定された前記間隔内に対応する割り当てユニットの順番号をUEに送信する送信ユニットを含む、基地局。
【請求項１６】
物理下り制御チャネル（PDCCH)のサーチ空間のマッピングを行うための基地局であって、
リソース割り当てスキームに基づいて、前記PDCCHのために割り当てるサーチ空間を確定する確定ユニット；及び
前記PDCCHの各候補位置（candidate)に含まれるリソースブロック（RB)の複数の割り当てユニットを、割り当てられたサーチ空間に均一にマッピングするマッピングユニットを含み、
前記PDCCHの各candidateのサーチ空間は、離散的なロジカル時間周波数リソースである、基地局。
【請求項１７】
コンピュータ可読プログラムであって、
基地局において前記プログラムを実行する時に、前記プログラムは、コンピュータに、前記基地局において、請求項１〜８の任意の１項に記載の物理下り制御チャネルのサーチ空間のマッピング方法を実行させるための、プログラム。
【請求項１８】
コンピュータ可読プログラムを記憶した記憶媒体であって、
前記コンピュータ可読プログラムは、コンピュータに、基地局において、請求項１〜８の任意の１項に記載の物理下り制御チャネルのサーチ空間のマッピング方法を実行させる、記憶媒体。
【発明の詳細な説明】
【技術分野】
【０００１】
本発明は、無線通信技術に関し、更に具体的に言えば、LTE(Long  Term  Evolution）/LTE-A(LTE-Advanced）システム中の下り制御チャネルのサーチ空間のマッピング方法及び装置に関する。
【背景技術】
【０００２】
LTEシステムでは、各種類の下り制御情報（DCI、Downlink  Control  Information)が基地局により物理下り制御チャネル（PDCCH、Physical  Downlink  Control  Channel)の形で送信され、データが基地局により物理下り共用チャネル（PDSCH、Physical  Downlink  Shared  Channel)の形で送信される。PDCCH及びPDSCHは、時間分割の形で各サブフレームに現れ、図1に示すように、第1〜N個のOFDM(Orthogonal  Frequency  Division  Multiplexing）シンボルは、PDCCHの可能な送信領域であり、そのうち、N=l、2、3又は4であり、上位層により構成され、また、第N+１個のOFDMシンボルからは、PDSCHの送信領域である。PDCCHは、セル参照信号（CRS、Cell-specific  Reference  Signal）に基づく空間ダイバーシティーマルチアンテナ送信をサポートし、最大送信アンテナ数は4である。PDCCH領域は、共通（Common)サーチ空間及びユーザ専用（UE-specific)サーチ空間に分けられる。全てのユーザ（UE、User  Equipment)の共通サーチ空間は同じであり、全てのユーザは同じ空間において自分のPDCCHをサーチする。ユーザ専用サーチ空間は、ユーザのRNTI(Radio  Network  Temporary  Identifier）に関連し、ユーザは、自分の空間のみにおいて自分のPDCCHをサーチする。ユーザがPDCCHをサーチする時に、４種類の可能なAggregation  level(アグリゲーションレベル）があり、即ち、L=l、2、4、8であり、且つ各種類のAggregation  levelが複数種類の可能な位置を有し、それらを複数のcandidate(候補）と称すると仮定する。各candidateの具体的な位置は、所定基準に基づいて計算することができる。表1に示すように、PDCCHのaggregation  levelは、制御チャネルエレメント(Control  channel  element、CCE)に１対１で対応し、最小aggregation  level  L=lが１つのCCEに対応し、１つのCCEが36個のRE(resource  element、リソースエレメント）に対応する。
【０００３】
【表１】
0005967218.tif 000002
【０００４】
データ伝送レートを向上させ、周波数スペクトル効率を向上させるために、マルチアンテナは、無線通信システムにおいて幅広く用いられている。LTE-Advancedシステムでは、下りリンクが8本までの送信アンテナをサポートすることができ、これによって、１Gbpsの伝送レートを達成することができる。PDSCHは、プリコーディングやビームフォーミングにより、伝送レートを向上させることができるのみなず、信号のカバレッジを拡大することもできる。しかしながら、PDCCHは、まだ8本のアンテナ送信をサポートすることができず、最大でも4本のアンテナの送信ディバーシティーだけをサポートすることができるので、PDSCHとは同じビームフォーミング利得を得ることができない。セルエッジユーザのパフォーマンスを更に向上させるために、地理的位置上で分離する複数のRRH(Remote  Radio  Head）のネットワークアーキテクチャに基づく多地点協調送信技術は、未来の無線通信システムにおいて幅広く用いられる見込みである。複数のRRHのネットワークアーキテクチャでは、各RRHのカバレッジにおけるユーザのPDSCHを同時にスケジューリングすることにより、セル分裂利得（cell-splitting  gain）を取得し、セル容量を向上させる。その同時に、複数のユーザのPDSCH空間多重化方式でセル容量を向上させることもできる。しかし、従来のCRSに基くPDCCHは、セル分裂利得を得ることができないので、人々は、DM-RS(DeModulation  Reference  Symbol）に基づくPDCCHの研究に関心を持つようになり、即ち、PDCCHを、従来の前のN個のOFDMシンボルの領域から、第N+１個のシンボルからのPDSCH領域へ、図2に示すように、拡張するようにさせる。ユーザは、シグナリングによって、新しいPDCCH領域の具体的な位置、即ち、周波数領域において占用するサブキャリアリソース及び/又は時間領域において占用するOFDMシンボルの情報を得ることができ、ユーザは、この領域においてブラインド検出を行い、各自のPDCCHを正確に復調することができきる。
【０００５】
発明者は、本発明の実現過程において、この種類の新しいPDCCHのリソースマッピングが現在の研究方向であることを発見した。
【０００６】
なお、上述の背景技術の紹介は、本発明の技術案を明確且つ完全に説明し、当業者がそれを理解し得るためだけのものである。これらの案は本発明の背景技術の部分に記述されているため、上述の技術案は当業者に周知であると思われてはいけない。
【発明の概要】
【発明が解決しようとする課題】
【０００７】
本発明の実施例の目的は、下り制御チャネル（PDCCH)のパフォーマンスを向上させることができる下り制御チャネルのサーチ空間のマッピング方法及び装置を提供する。
【課題を解決するための手段】
【０００８】
本発明の実施例の１側面によれば、下り制御チャネルのサーチ空間のマッピング方法が提供され、そのうち、前記方法は、
リソース分配（割り当て）方式に基づいて、下り制御チャネル（PDCCH)のために分配するサーチ空間を確定し；及び
予め設定された間隔に基づいて、前記PDCCHの各候補位置（candidate)を前記サーチ空間のロジカル時間周波数リソースにマッピングすることを含む。
【０００９】
本発明の実施例の他の側面によれば、下り制御チャネルのサーチ空間のマッピング方法が提供され、そのうち、前記方法は、
リソース分配方式に基づいて、下り制御チャネル（PDCCH)のために分配するサーチ空間を確定し；及び
前記PDCCHの各候補位置（candidate)に含まれるリソースブロック（RB)の複数の分配ユニットを、分配されたサーチ空間に均一にマッピングすることを含む。
【００１０】
本発明の実施例のまた他の側面によれば、基地局が提供され、それは、下り制御チャネルのサーチ空間のマッピングを行うために用いられ、そのうち、前記基地局は、
リソース分配方式に基づいて、下り制御チャネル（PDCCH)のために分配するサーチ空間を確定する第１確定ユニット；及び
予め設定された間隔に基づいて、前記PDCCHの各候補位置(candidate)を、前記サーチ空間のロジカル時間周波数リソースにマッピングする第１マッピングユニットを含む。
【００１１】
本発明の実施例のまた他の側面によれば、基地局が提供され、それは、下り制御チャネルのサーチ空間のマッピングを行うために用いられ、そのうち、前記基地局は、
リソース分配方式に基づいて、下り制御チャネル（PDCCH)のために分配するサーチ空間を確定する確定ユニット；及び
前記PDCCHの各候補位置（candidate)に含まれるリソースブロック（RB)の複数の分配ユニットを、分配されたサーチ空間に均一にマッピングするマッピングユニットを含む。
【００１２】
本発明の実施例のまた他の側面によれば、コンピュータ可読プログラムが提供され、そのうち、基地局において該プログラムを実行する時に、該プログラムは、コンピュータに、前記基地局において前述の下り制御チャネルのサーチ空間のマッピング方法を実行させる。
【００１３】
本発明の実施例のまた他の側面によれば、コンピュータ可読プログラムを記憶した記憶媒体が提供され、そのうち、該コンピュータ可読プログラムは、コンピュータに、基地局において前述の下り制御チャネルのサーチ空間のマッピング方法を実行させる。
【００１４】
本発明の実施例の有益な効果は、異なるcandidateを離散的な時間周波数リソースにマッピングして、周波数選択性スケジューリング利得を取得することにより、又は、１つのcandidateを離散的な時間周波数リソースにマッピングして、周波数ディバーシティー利得を取得することにおり、PDCCHのパフォーマンスを向上させることができる。
【００１５】
後述の説明及び図面に基づき、本発明の特定の実施形態を詳細に開示し、本発明の原理が採用され得る方式を明確にする。なお、本発明の実施形態は、範囲上でそれによって限定されない。添付した特許請求の範囲の精神及び技術的範囲では、本発明の実施形態は、あらゆる変形、変更に及び代替によるものをも含む。
１つの実施形態について説明した及び/又は示した特徴は、同じ又は類似した方式で、１つ又は複数の他の実施形態に使用し、他の実施形態における特徴と組み合わせ、又は、他の実施形態における特徴を置換することができる。
なお、"包括/含む"のような用語は、本文に使用する時に、特徴、装置全体、ステップ又はアセンブリの存在を指すが、１つ又は複数の他の特徴、装置全体、ステップ又はアセンブリの存在又は付加を排除しないことをも指す。
【図面の簡単な説明】
【００１６】
以下の図面を参照することによって本発明の多くの方面をよりよく理解することができる。図面中の部品は、比例して描かれたものではなく、本発明の原理を示すためだけのものである。本発明の一部を示す又は説明するために、図面中の対応する部分は、拡大又は縮小することがある。本発明の１つの図面又は１つの実施形態に記載の要素及び特徴は、１つ又は複数の他の図面又は実施形態に示した要素及び特徴と組み合わせることができる。また、図面では、類似する符号は、幾つの図面中の対応する部品を示し、また、複数の実施形態に用いる対応する部品を示すために用いられる。
【図１】LTEシステムにおけるPDCCH及びPDSCH送信領域を示す図である。
【図２】新しいPDCCH及びPDSCH送信領域を示す図である。
【図３】本発明の実施例における下り制御チャネルのサーチ空間のマッピング方法のフローチャートである。
【図４】図3においてRBGをステップ長さとしてPDCCHのサーチ空間のマッピングを行う様子を示す図である
【図５】図3においてsubbandをステップ長さとしてPDCCHのサーチ空間のマッピングを行う様子を示す図である。
【図６】図3においてRBGをステップ長さとして他のPDCCHのサーチ空間のマッピングを行う様子を示す図である。
【図７】図3においてsubbandをステップ長さとして他のPDCCHのサーチ空間のマッピングを行う様子を示す図である。
【図８】図3においてRBGをステップ長さとして他のPDCCHのサーチ空間のマッピングを行う様子を示す図である。
【図９】図3においてsubbandをステップ長さとして他のPDCCHのサーチ空間のマッピングを行う様子を示す図である。
【図１０】本発明の他の実施例における下り制御チャネルのサーチ空間のマッピング方法のフローチャートである。
【図１１】図10のマッピング方法に基づくPDCCHサーチ空間を示す図である。
【図１２】本発明の一実施例における基地局の構成図である。
【図１３】本発明の他の実施例における基地局の構成図である。
【発明を実施するための形態】
【００１７】
添付した図面及び次の明細書によって、本発明の実施例の前述及び他の特徴はより明確になる。これらの実施形態は、例示だけであり、本発明を限定するものではない。当業者が本発明の原理及び実施形態を容易に理解し得るために、本発明の実施形態では、LTE-Aシステム中でPDSCH領域にて送信するPDCCH(以下、PDCCH又は新しいPDCCH又はePDCCHを称する)のサーチ空間のマッピングを例として説明を行うが、理解すべきは、本発明の実施例は、上述のシステムに限定されず、PDCCHのサーチ空間のマッピングに関する他のシステム又はシナリオの全てにも適用し得るとのことである。
【００１８】
現在、この種類の新しいPDCCHのリソースマッピングは、２大種類に分けてもよく、１つは、連続リソースマッピング、即ち、PDCCHの１つのcandidateの１つ又は複数のCCEが、隣接した時間周波数リソースにマッピングされることである。この種類のマッピング方式により、基地局は、ユーザがフィードバックしたチャネル情報又は基地局側が自ら測定したチャネル情報に基づいて、チャネル品質が良い時間周波数リソース上で、ユーザにPDCCHを送信し、周波数選択性スケジューリング利得を得る。もう１つは、離散リソースマッピングであり、即ち、PDCCHの１つのcandidateの１つ又は複数のCCEが、隣接しない時間周波数リソースにマッピングされることである。この種類のマッピング方式により、基地局は、チャネル情報を得ることができない時にも、周波数領域ディバーシティー利得を取得し、PDCCHのパフォーマンスを保証することができる。
【００１９】
発明者は、本発明の実現過程において、基地局側は、通常、ユーザがフィードバックした情報によって、下りチャネル状態を取得し、そして、これに基づいて、ユーザに対してスケジューリングを行う。従来のフィードバックモードでは、フィードバック情報の正確度とフィードバックオーバヘッドとの折衷を考慮し、チャネル情報のフィードバックがサブバンド（subband)を単位とし、ユーザが複数のサブバンドのチャネルをフィードバックすることができ、同一のサブバンド中の複数のリソースブロック(RB)が同様なチャネル情報に対応し、表2に示す通りである。10MHzのシステムバンド幅（50RBs)を例とし、ユーザがチャネル情報をフィードバックし、隣接した6個のサブキャリアが１個のサブバンドである。PDCCHの6個のcandidateが１個のサブバンド中の隣接した6個サブキャリアに対応すれば、6個のcandidateが同じチャネル情報に対応し、基地局は、フィードバック情報に基づいてどのサブキャリアにてPDCCHを送信して、より良いパフォーマンスを取得し得るかを決定することができない。
【００２０】
【表２】
0005967218.tif 000003
【００２１】
これに鑑み、本発明の実施例は、下り制御チャネルのサーチ空間のマッピング方法及び装置を提供する。異なるcandidateを離散的な時間周波数リソースにマッピングして、周波数選択性スケジューリング利得を取得することにより、又は、１つのcandidateを離散的な時間周波数リソースにマッピングして、周波数ディバーシティー利得を取得することにより、PDCCHのパフォーマンスを向上させる。
【００２２】
以下、具体的な実施例に基づいてこれについて説明する。
【実施例１】
【００２３】
本発明の実施例は、下り制御チャネルのサーチ空間のマッピング方法を提供する。本実施例では、従来のPDSCH領域にて送信するPDCCHの制御チャネルエレメントをeCCE(enhanced  Control  channel  element、強化制御チャネルエレメント）として定義し、Aggregation  levelの最小単位L=lが1個のeCCEに対応する。図3は、該方法のフローチャートであり、該実施例の方法は、連続リソースマッピング方式であり、図3を参照するに、該方法は、次のステップを含む。
【００２４】
ステップ301:リソース分配方式に基づいて、下り制御チャネル（PDCCH)のために分配するサーチ空間を確定する。
【００２５】
そのうち、リソース分配方式は、例えば、typeO、typel、type2などであり、異なるリソース分配方式に基づいて、PDCCHのために分配するサーチ空間を確定することができる。例えば、typeOのリソース分配方式に基づいて、PDCCHのために6個のRBG(Resource  Block  Group、リソースブロック組）を分配する。異なるシステムバンド幅により、RBGの長さ（size)が異なり、例えば、システムバンド幅が10MHzであるとき、RBG  sizeが3個のRBであり、これは、PDCCHのために18個のRBを分配したことに相当する。また、例えば、typeOのリソース分配方式に基づいて、PDCCHのために3個のRBGを分配し、システムバンド幅が10MHzであれば、RGB  sizeが3個のRBであり、これは、PDCCHのために9個のRBを分配したことに相当する。また、例えば、type2のリソース分配方式に基づいて、PDCCHのために12個のRBを分配する。そのうち、リソース分配方式は、システムにより構成され、上位層シグナリングによりユーザに通知され得る。
【００２６】
表3は、システムバンド幅とRGB  sizeとの対照表である。
【００２７】
【表３】
0005967218.tif 000004
【００２８】
ステップ302:予め設定された間隔に基づいて、前記PDCCHの各候補位置（candidate)を、前記サーチ空間のロジカル時間周波数リソースにマッピングする。
【００２９】
そのうち、本実施例は、PDCCHの各candidateのサーチ空間を離散的なロジカル時間周波数リソースにマッピングする。“１つのユーザ装置（UE、User  Equipment)のPDCCHの複数candidateが同一のサブバンド中の複数のサブキャリアに対応し、該複数のcandidateが同じチャネル情報に対応するようになり、これによって、基地局が、フィードバック情報に基づいてどのサブキャリアにてPDCCHを送信して、より良いパフォーマンスを取得し得るかを決定することができない”との問題をできるだけ避ける。
【００３０】
そのうち、PDCCHの各candidateを、サーチにより分配されたサーチ空間のロジカル時間周波数リソースにマッピングした後に、所定基準に基づいて、それをその対応する物理リソースにマッピングすることができるので、ここでは、詳しい説明を省略する。
【００３１】
１つの好適な実施例では、該間隔は、ユーザ装置がフィードバックしたサブバンドバンド幅（subband  size)であり、表2に示す通りである。即ち、１つのサブバンドバンド幅（RBを単位とし）毎に、１つのPDCCHのcandidateをマッピングする。本実施例では、PDCCHのcandidateがその対応するサブバンドバンド幅における開始位置を限定せず、例えば、それは、その対応するサブバンドバンド幅の第１個のRBから開始しても良く、その対応するサブバンドバンド幅の第２個のRBから開始してもよいなどである。本実施例では、サーチ空間のリソース数が、PDCCHのcandidateの総数と該サブバンドバンド幅との乗積よりも小さい場合、例えば、サーチ空間のリソース数が18個のRBであり、PDCCHのcandidateの総数が6であり、該サブバンドバンド幅が6個のRBであり、この時に、１つのsubband毎に１つのcandidateをマッピングすることにより、全てのcandidateをマッピングすることができず、この場合、本実施例では、循環シフト方式により、残りのcandidateをマッピングし、即ち、先ず、該PDCCHの一部のcandidateを、各subbandに対応するロジカル時間周波数リソースにマッピングし、次に、循環シフト方式により、残りのcandidateを、各subbandに対応するロジカル時間周波数リソースにマッピングする。この種類のシナリオの下では、ステップ502に従ってPDCCHのcandidateのマッピングを行う時に、PDCCHの一部のcandidateしかマッピングすることができず、この場合、本実施例の方法により、残りのcandidateを、循環シフト方式によりsubbandに対応するロジカル時間周波数リソースにマッピングする。以下、具体的な例を用いて説明を行う。本実施例では、PDCCHのcandidateの総数は、aggregation  levelの値に基づいて表1を参照することにより確定される。例えば、表1に示すように、aggregation  level  L=l又は2の場合、6個のcandidateに対応し、aggregation  level  L=4又は8の場合、2個のcandidateに対応する。
【００３２】
他の好適な実施例では、該間隔は、ユーザ装置のリソースブロック組（RBG)であり、表3に示す通りである。即ち、RBG(RBを単位とし）毎に、１つのPDCCHのcandidateをマッピングする。本実施例では、PDCCHのcandidateがその対応するRBGにおける開始位置をも限定せず、例えば、それは、その対応するRBGの第１個のRBから開始してもよく、その対応するRBGの第２個のRBから開始してもよいなどである。本実施例では、サーチ空間のリソース数が、PDCCHのcandidateの総数と該RBGとの乗積より小さい場合、例えば、サーチ空間のリソース数が12個のRBであり、PDCCHのcandidateの総数が6であるが、該RBGが3個のRBであり、このときに、１つのRBG毎に１つのcandidateをマッピングすることにより、4個のcandidateしかマッピングすることができず、全ての6個のcandidateをマッピングすることができない。この場合、本実施例では、循環シフト方式により、残りの2個のcandidateをマッピングすることができる。即ち、先ず、該PDCCHの4個のcandidateを、各RBGに対応するロジカル時間周波数リソースにマッピングし、次に、循環シフト方式により、残りの2個のcandidateを、第１個のRBG及び第２個のRBGに対応するロジカル時間周波数リソースにマッピングする。この種類のシナリオの下で、ステップ502に従ってPDCCHのcandidateのマッピングを行う時に、PDCCHの一部のcandidateしかマッピングすることができず、この場合、本実施例の方法により、残りのcandidateを、循環シフト方式により、各RBGに対応するロジカル時間周波数リソースにマッピングする。以下、具体的な例により説明する。本実施例では、PDCCHのcandidateの総数は、aggregation  levelの値に基づいて表1を参照することにより確定される。例えば、表1に示すように、aggregation  levelL=l又は2の場合に、6個のcandidateに対応し、aggregation  levelL=4又は8の場合、2個のcandidateに対応する。
【００３３】
以上の２つの実施例では、間隔をsubband及びRBGとして説明したが、本実施例は、これに限定されず、実際のニーズに応じて、他の間隔に基づいて、ステップ302に記載のようなマッピングを行ってもよい。そのうち、サーチ空間のリソース数が、PDCCHのcandidateの総数と、予め設定された間隔との乗積よりも小さい場合、先ず、PDCCHの一部のcandidateを、予め設定された間隔に対応する各ロジカル時間周波数リソースにマッピングし、次に、循環シフト方式により、残りのcandidateを、予め設定された間隔に対応する各ロジカル時間周波数リソースにマッピングする。また、PDCCHの各candidateがその対応する、予め設定された間隔に対応するロジカル時間周波数リソースにおける位置も任意であり、上述と同様であるため、ここでは、詳しい説明を省略する。
【００３４】
本発明の実施例では、PDCCHの各candidateを、予め設定された間隔に従って、分配されたサーチ空間のロジカル時間周波数リソースにマッピングし、これにより、各candidateのサーチ空間が離散的なロジカル時間周波数リソースである。よって、PDCCHの複数のcandidateが同一のサブバンド中のサブキャリアに対応するため、基地局がフィードバック情報に基づいてサブキャリアを確定することができないという問題をある程度避けることができるので、PDCCHの伝送パフォーマンスを向上させることができる。
【００３５】
本実施例の他の実施形態によれば、該方法は更に、以下のステップを含む。
【００３６】
ステップ303:前記PDCCHの各candidateに含まれるeCCEを、同一のRB又は隣接したRB中のサブキャリアにマッピングする。
【００３７】
そのうち、本実施例では、前記PDCCHの各candidateに含まれる１個又は複数のeCCEを、同一のRB又は隣接したRB中のサブキャリアにできるだけマッピングするが、１つのRBにおいて、該１個又は複数のeCCEを、隣接した又は隣接しないサブキャリアにマッピングしてもよい。なお、本実施例は、これに限定されない。
【００３８】
本実施形態では、ステップ301及びステップ302により各candidateのマッピング位置を確定した後に、各candidateに含まれる１個又は複数のeCCEについて、その対応するマッピング位置、即ち、その対応する間隔（subband又はRBGなど）において、それを同一のRB又は隣接したRB内にマッピングし、各candidateに含まれる１個又は複数のeCCEのサーチ空間が同一のサブバンド内にあるようにさせ、これによって、該candidateの全てのeCCEが周波数選択性スケジューリング利得を取得し得るように保証する。
【００３９】
以上の実施例では、基地局側は、上述のサーチ空間のマッピングを行った後に、更に、１個の上述の予め設定された間隔内において対応する分配ユニットの順番号をUEに送信する。例えば、１個のRBG又はsubbandにおいて対応するRB又はより小ちいunitの順番号をUEに通知し、これによって、UEのブラインド検出回数を減らす。本実施例では、送信方式を限定しない。例えば、上位層シグナリングにより、該ユーザのRB又はunit順番号を構成してもよい。
【００４０】
本実施例における下り制御チャネルのサーチ空間のマッピング方法をより明確により分かりやすくするために、以下、幾つかの具体例により、それについて説明する。LTE/LTE-Aシステムでは、周波数スペクトル効率を向上させるために、通常、1個のRBを、より小さい時間周波数リソースブロックに分けることができる。次の幾つかの例では、１個のeCCEをより小さい2個のunitに分け、1個のRBが4個のunitに対応することを例として説明を行う。
【００４１】
図4は、本発明の一実施例における、RBGをステップ長さとするPDCCHのサーチ空間のマッピングを示す図である。図5は、本発明の一実施例における、subbandをステップ長さとするPDCCHのサーチ空間のマッピングを示す図である。
【００４２】
図4及び図5を参照するに、図4及び図5の実施例では、ユーザ装置のPDCCHのサーチ空間が上位層により構成され、type0のリソース分配方式に基づいて、該ユーザ装置のPDCCHのために、6個のRBGを分配したと仮定する。システムバンド幅が１０ＭＨｚであるとすると、表3から分かるように、RBG  sizeが3個のRBであり、表2から分かるように、フィードバックサブバンド長さ（feedback  subband  size)が6個のRBである。PDCCHのAggregation  level  L=l又は2であるとすると、表1から分かるように、該ユーザ装置のPDCCHが6個のcandidateを有し、且つ、PDCCHのAggregation  levelがCCE/eCCEに１対１で対応し、１個のeCCEが2個のunitを含み、１個のRBが4個のunitに対応し、よって、該ユーザ装置のPDCCHの各candidateが0.5個又は1個のRBに対応する。
【００４３】
図4に示すように、本実施例では、PDCCHのために図4に示すように18個のRBを分配し、3個のRBが１個のRBGであり、本実施例における方法により、RBGをステップ長さとして該PDCCHの6個のcandidateをマッピングすると、6個のcandidateが、異なるRBGに対応し、図4に示すように、第１個のcandidate(#1candidate)が第１個のRBGに対応し、第２個のcandidate(#2candidate)が第２個のRBGに対応し、第３個のcandidate(#3candidate)が第３個のRBGに対応し、第４個のcandidate(#4candidate)が第４個のRBGに対応し、第５個のcandidate(#5candidate)が第５個のRBGに対応し、第６個のcandidate(#6candidate)が第６個のRBGに対応する。１つのcandidate内の１つ又は複数のeCCEを、隣接したサブキャリアにマッピングする。そのうち、分配されたサーチ空間が、candidateの総数とRBG  sizeとの乗積よりも小さい場合、即、PDCCHのために分配したサーチ空間において、RBGの数が全てのcandidateのマッピングのために足りない場合、循環シフト方式により、残りのcandidateを各RBGにマッピングする。
【００４４】
図5に示すように、本実施例では、PDCCHのために、図5に示すような18個のRBを分配し、そのうち、前の３個のRBが１個のsubbandを占用し、第4〜6個のRBが１個のsubbandを占用し、第7〜12個のRBが１個のsubbandを占用し、第13〜18個のRBが１個のsubbandを占用する。本実施例の方法により、subbandをステップ長さとしてPDCCHの6個のcandidateをマッピングする場合、先ず、各candidateを、異なるsubbandに従ってマッピングし、本実施例では、PDCCHのために分配するリソースが18個のRBのみを有し、4個のsubbandを占用し、4個のcandidate(#lcandidate、#2candidate、#3candidate、#4candidate)しかマッピングすることができず、全ての6個のcandidateのマッピングのために足りず、よって、残りの2個のcandidate(#5candidate及び#6candidate)を循環シフト方式により各subbandにマッピングし、図5に示す通りである。即ち、図5に示す実施例では、分配されたサーチ空間のリソース数が、candidateの総数とsubband  sizeとの乗積よりも小さい場合、本実施例では、18＜6x6であるので、循環シフト方式により残りのcandidateを各subbandにマッピングする。
【００４５】
図4及び図5の実施例では、好ましくは、以上の２種類の方式により、上位層がサーチ空間を構成する時に、ユーザ装置（UE)に、該ＵＥが１個のRBG又はSubbandにおいて対応するRB又はより小さいunitの順番号を通知する必要があり、これによって、ユーザ装置が自己のサーチ空間を確定することができ、ブラインド検出回数を減らすことができる。
【００４６】
図6は、本発明の他の実施例における、RBGをステップ長さとするPDCCHのサーチ空間のマッピングを示す図である。図7は、本発明の他の実施例における、subbandをステップ長さとするPDCCHのサーチ空間のマッピングを示す図である。
【００４７】
図6及び図7を参照するに、図6及び図7に示す実施例では、ユーザ装置のPDCCHのサーチ空間が上位層により構成され、type0のリソース分配方式に基づいて、該ユーザ装置のPDCCHのために3個のRBGを分配したと仮定する。システムバンド幅が10MHzであるとすると、表3から分かるように、RBG  sizeが3個のRBであり、表2から分かるように、フィードバックサブバンド長さ（feedback  subband  size)が6個のRBである。PDCCHのAggregation  level  L=4であるとすると、表1から分かるように、該ユーザ装置のPDCCHが2個のcandidateを有し、且つ、PDCCHのAggregation  levelがCCE/eCCEに一対一で対応し、１個のeCCEが2個のunitを含み、１個のRBが4個のunitに対応し、よって、該ユーザ装置のPDCCHの各candidateが2個のRBに対応する。
【００４８】
図6に示すように、本実施例では、PDCCHのために図6に示すような9個のRBを分配し、3個のRBが１個のRBGであり、本実施例の方法により、RBGをステップ長さとして該PDCCHの2個のcandidateをマッピングすると、2個のcandidateが、異なるRBGに対応する。そのうち、第１個のcandidate(#1candidate)が対応する4個のeCCEは、第１個のRBGの２のRBにマッピングし、第２個のcandidate(#2candidate)が対応する4個のeCCEは、第２個のRBGの２個のRBにマッピングする。
【００４９】
図7に示すように、本実施例では、PDCCHのために図7に示すような9個のRBを分配し、そのうち、前の６個RBが１個のsubbandを占用し、第7〜9個のRBが１個のsubbandを占用し、本実施例の方法により、subbandをステップ長さとしてPDCCHの2個のcandidateをマッピングすると、この2個のcandidateが、異なるsubbandに対応する。そのうち、第１個のcandidate(#lcandidate)が対応する4個のeCCEは、第１個のsubbandの２個のRBにマッピングし、第２個のcandidate(#2candidate)が対応する4個のeCCEが第２個のsubbandの２個のRBにマッピングする。
【００５０】
図6及び図7の実施例では、好ましくは、以上の２種類の方式で、上位層がサーチ空間を構成する時に、UEに、該ＵＥが１個のRBG又はSubbandにおいて対応するRB又はより小さいunitの順番号を通知する必要があり、これにより、UEが自分のサーチ空間を確定し、ブラインド検出回数を減らすことができる。
【００５１】
図8は、本発明の他の実施例における、RBGをステップ長さとするPDCCHのサーチ空間のマッピングを示す図である。図9は、本発明の他の実施例における、subbandをステップ長さとするPDCCHのサーチ空間のマッピングを示す図である。
【００５２】
図8及び図9を参照するに、図8及び図9の実施例では、ユーザ装置のPDCCHのサーチ空間が上位層により構成され、type2のリソース分配方式に基づいて、該ユーザ装置のPDCCHのために、12個のRBを分配したと仮定する。システムバンド幅が１０ＭＨｚであるとすると、表3から分かるように、RBG  sizeが3個のRBであり、表2から分かるように、フィードバックサブバンド長さ（feedback  subband  size)が6個のRBである。PDCCHのAggregation  levelL=l又は2であるとすると、表1から分かるように、該ユーザ装置のPDCCHが6個のcandidateを有し、且つ、PDCCHのAggregation  levelがCCE/eCCEに一対一で対応し、１個のeCCEが2個のunitを含み、１個のRBが4個のunitに対応し、よって、該ユーザ装置のPDCCHの各candidateが0.5個又は1個のRBに対応する。
【００５３】
図8に示すように、本実施例の方法により、RBGをステップ長さとして該PDCCHの各candidateをマッピングするとすると、各candidateが、異なるRBGに対応するはずであり、しかしながら、分配されたリソース数が、candidateの数とRBG  sizeとの乗積よりも小さく、即ち、12＜6x3であるので、分配された12個RBが4個のRBGに分けられ、各candidateが１個のRBGにマッピングされれば、4個のRBGが6個のcandidateのマッピングのために足りず、よって、本実施例では、先ず、4個のcandidateを各RBGにマッピングし、次に、残りの2個のcandidateを循環シフト方式で各RBGにマッピングする。図8に示すように、第１個のcandidate(#lc)が第１個のRBGに対応し、第２個のcandidate(#2c)が第２個のRBGに対応し、第３個のcandidate(#3c)が第３個のRBGに対応し、第４個のcandidate(#4c)が第４個のRBGに対応し、第５個のcandidate(#5c)が第１個のRBGに対応し、第６個のcandidate(#6c)が第６個のRBGに対応する。そのうち、１個のcandidate内の１個又は複数のeCCEが、隣接したサブキャリアにマッピングされる。図8の実施例では、分配されたサーチ空間が、candidateの総数とRBG  sizeとの乗積よりも小さいので、マッピング可能なcandidateを各RBGにマッピングした後に、循環シフト方式で残りのcandidateを各RBGにマッピングする。
【００５４】
図9に示すように、本実施例の方法により、Subbandをステップ長さとして該PDCCHの各candidateをマッピングするとすると、各candidateが、異なるRBGに対応するはずであり、しかしながら、分配されたリソース数が、candidateの数とsubband  sizeとの乗積よりも小さく、即ち、12＜6x6であるので、分配された12個RBが2個のsubbandを占用し、各candidateが１個のsubbandにマッピングされれば、2個のsubbandが6個のcandidateのマッピングのために足りず、よって、本実施例では、先ず、2個のcandidateを各subbandにマッピングし、次に、2個のcandidateを循環シフト方式で各subbandにマッピングし、そして、残りの2個のcandidateを循環シフト方式で各subbandにマッピングする。図9に示すように、第１、３、５個のcandidate(#lc、#3c、#5c)が第１個のsubbandに対応し、第２、４、６個のcandidate(#2c、#4c、#6c)が第２個のsubbandに対応する。そのうち、１個のcandidate内の１個又は複数のeCCEは、隣接したサブキャリアにマッピングする。図9の実施例では、分配されたサーチ空間が、candidateの総数とsubband  sizeとの乗積よりも小さいので、マッピング可能なcandidateを各subbandにマッピングした後に、循環シフト方式で残りのcandidateを各subbandにマッピングする。
【００５５】
図8及び図9の実施例では、好ましくは、以上の２種類の方式で、上位層がサーチ空間を構築する時に、UEに、該ＵＥが１個のRBG又はSubband内に対応するRB又はより小さいunitの順番号を通知する必要があり、これによって、UEが自分のサーチ空間を確定し、ブラインド検出回数を減らすことができる。
【００５６】
本発明の実施例の方法により、PDCCHの異なるcandidateを離散的な時間周波数リソースにマッピングして、周波数選択性スケジューリング利得を取得し、これによって、PDCCHの伝送パフォーマンスを向上させることができる。
【実施例２】
【００５７】
本発明の実施例は、下り制御チャネルのサーチ空間のマッピング方法をも提供する。本実施例では、従来のPDSCH領域にて送信するPDCCHの制御チャネルエレメントをeCCE(enhanced  Control  channel  element、強化制御チャネルエレメント）と定義し、Aggregation  levelの最小単位L=lが1個のeCCEに対応する。図10は、該方法のフローチャートであり、該実施例の方法は、離散的なリソースマッピング方式であり、図10を参照するに、該方法は、以下のステップを含む。
【００５８】
ステップ1001:リソース分配方式に基づいて、下り制御チャネル（PDCCH)のために分配するサーチ空間を確定し、そのうち、該ステップ1001の実現方式は、ステップ301と同じであるので、ステップ301に関連する内容は、ここに援用され、ここでは、その詳しい説明を省略する。
【００５９】
ステップ1002:前記PDCCHの各候補位置（candidate)に含まれるリソースブロック（RB)の複数の分配ユニットを、分配されたサーチ空間に均一にマッピングする。
【００６０】
そのうち、RBは、ニーズに応じて、複数のより小さい時間周波数リソースブロックに分けてもよく、例えば、１個のRBを複数のunitに分け、この場合、各unitは、該RBの最小分配ユニットである。本実施例では、各candidateが対応するRBの複数の分配ユニットは、各candidateに含まれる複数のunitであり、１個のcandidateの複数unitを離散的にマッピングすることにより、異なるsubband情報を反映し、PDCCHのパフォーマンスを最適化することもできる。
【００６１】
そのうち、本実施例では、PDCCHの各candidateの複数unitを、分配されたサーチ空間内に均一に分布させる以外に、各candidateを、分配されたサーチ空間の隣接したロジカル時間周波数リソースにマッピングすることもできるが、本実施例ではこれに限定されない。
【００６２】
本実施例では、ロジカル時間周波数リソースの意義は前述と同じであるため、ここでは、詳しい説明を省略する。
【００６３】
実施例1とは異なり、本実施例では、PDCCHの各candidateに対して離散マッピング（即ち、candidateを単位として離散マッピングを行う）を行うことに注目せず、PDCCHの１個のcandidateに対して離散マッピング（即ち、candidate内の分配ユニットを単位として離散マッピングを行う）を行うことに注目する。本実施例の方法により、PDCCHの各candidateに含まれる1個又は複数のeCCEのサーチ空間が、離散的なロジカル時間周波数リソースであるようになり、PDCCHの１個のcandidateを離散的な時間周波数リソースにマッピングして、周波数ディバーシティー利得を取得することにより、PDCCHの伝送パフォーマンスを向上させることができる。
【００６４】
本実施例の下り制御チャネルのサーチ空間のマッピング方法をより明確により分かりやすくするために、以下、幾つかの具体例によりそれについて説明する。LTE/LTE-Aシステムでは、周波数スペクトル効率を向上させるために、通常、1個のRBをより小さい時間周波数リソースブロックに分けることができる。次の例では、１個のeCCEをより小さい2個のunitに分け、1個のRBが4個のunitに対応することを例として説明する。
【００６５】
図11は、本発明の一実施例におけるPDCCHのサーチ空間のマッピングを示す図である。図11を参照するに、ユーザ装置のPDCCHのサーチ空間が上位層により構成され、type0のリソース分配方式に基づいて、該ユーザ装置のPDCCHのために18個のRBが分配されたと仮定する。PDCCHのAggregation  level  L=2であるとすると、該PDCCHの各candidateが4個のunitに対応する。表1から分かるように、該ユーザ装置のPDCCHが6個のcandidateを有する。図11に示すように、１個のRBは4個のunitを含んでもよく、この場合、本実施例の方法により、１個のRBが4個のcandidateに対応し、それらは、それぞれ、#1candidate、#2candidate、#3candidate、#4candidateであり、そのうち、各candidateが１個のRBの１個のunitに対応する。また、図11に示すように、各candidateの4個のunitは、周波数領域において間隔が5個のRBである。例えば、#lcandidate、#2candidate、#3candidate及び#4candidateは第1、6、11、16個のRBを占用し、#5candidate及び#6candidateは、第2、7、12、17個のRBを占用する。このように、１個のcandidate内の複数unitの離散マッピングを実現することができる。
【００６６】
図11の実施例では、好ましくは、上位層がサーチ空間を構成する時に、UEに、該ＵＥが１個のRBG内に対応するRB又はより小さいunitの順番号を通知する必要があり、これによって、UEが自分のサーチ空間を確定し、ブラインド検出回数を減らすことができる。
【００６７】
本発明の実施例の方法により、PDCCHの各candidateをそれぞれ離散的な時間周波数リソースにマッピングして、周波数ディバーシティー利得を取得し、これによって、PDCCHの伝送パフォーマンスを向上させることができる。
【００６８】
本発明は更に基地局を、次の実施例3に記載のように提供し、該基地局が問題を解決する原理は、実施例1の下り制御チャネルのサーチ空間のマッピング方法に類似するので、その具体的な実施ついては、実施例1の方法の実施例を参照することができるため、ここでは、同じ処の記載を省略する。
【実施例３】
【００６９】
本発明の実施例は基地局を提供し、該基地局のユーザは、下り制御チャネルのサーチ空間のマッピングを行う。図12は、該基地局の構成図であり、図12を参照するに、該基地局は、次のユニットを含む。
【００７０】
第１確定ユニット1201：リソース分配方式に基づいて、下り制御チャネル（PDCCH)のために分配するサーチ空間を確定し；
第１マッピングユニット1202：予め設定された間隔に基づいて、前記PDCCHの各候補位置(candidate)を、前記サーチ空間のロジカル時間周波数リソースにマッピングする。
【００７１】
一実施例では、予め設定された間隔が、ユーザ装置がフィードバックしたサブバンドバンド幅（subband  size）である。
【００７２】
他の実施例では、予め設定された間隔が、ユーザ装置のリソースブロック組（RBG)である。
【００７３】
前述の２つの実施例では、サーチ空間のリソース数が、PDCCHのcandidateの総数と前記予め設定された間隔との乗積よりも小さい場合、第１マッピングユニット1202は、先ず、前記PDCCHの一部のcandidateを、予め設定された間隔に対応する各ロジカル時間周波数リソースにマッピングし、次に、残りのcandidateを循環シフト方式で、予め設定された間隔に対応する各ロジカル時間周波数リソースにマッピングする。
【００７４】
一実施例では、該基地局は、更に次のユニットを含む。
【００７５】
第２確定ユニット1203：aggregation  levelに基づいて、前記PDCCHのcandidateの総数を確定し、これによって、第１マッピングユニット1202は、サーチ空間のリソース数が、PDCCHのcandidateの総数と、前記予め設定された間隔との乗積よりも小さいかを確定し、そして、これに基づいて、PDCCHのcandidateのサーチ空間のマッピングを行う。
【００７６】
一実施例では、該基地局は更に次のユニットを含む。
【００７７】
第２マッピングユニット1204：PDCCHの各candidateに含まれるeCCEを、同一のRB又は隣接したRB内のサブキャリアにマッピングする。そのうち、隣接したサブキャリア又は隣接しないたサブキャリアにマッピングしてもよい。
【００７８】
一実施例では、該基地局は、更に次のユニットを含む。
【００７９】
送信ユニット1205：１個の予め設定された間隔内に対応する分配ユニットの順番号をUEに送信する。例えば、１個のRBG又はsubband内に対応するRB又はより小さいunitの順番号をUEに送信し、これによって、UEが自分のサーチ空間を確定し、ブラインド検出回数を減らすことができる。
【００８０】
本実施例では、PDCCHの各candidateがその対応する、予め設定された間隔に対応するロジカル時間周波数リソースにおける位置が任意である。
【００８１】
本実施例では、PDCCHの各candidateを、分配されたサーチ空間のロジカル時間周波数リソースにマッピングした後に、所定の準則に従って、その対応する物理時間周波数リソースにマッピングすることができるので、ここでは、詳しい説明を省略する。
【００８２】
本実施例の基地局により、PDCCHの異なるcandidateを離散的な時間周波数リソースにマッピングして、周波数選択性スケジューリング利得を得ることにより、PDCCHの伝送パフォーマンスを向上させることができる。
【００８３】
本発明は更に基地局を次の実施例4に記載のように提供し、該基地局が問題を解決するの原理は、実施例2の下り制御チャネルのサーチ空間のマッピング方法に類似するので、その具体的な実施については、実施例2の方法の実施例を参照することができるため、同じ処の記載を省略する。
【実施例４】
【００８４】
本発明の実施例は基地局を提供し、該基地局のユーザは下り制御チャネルのサーチ空間のマッピングを行う。図13は該基地局の構成図であり、図13を参照するに、該基地局は、次のユニットを含む。
【００８５】
確定ユニット1301：リソース分配方式に基づいて、下り制御チャネル（PDCCH)のために分配するサーチ空間を確定し；
マッピングユニット1302：前記PDCCHの各候補位置（candidate)に含まれるリソースブロック(RB)の複数の分配ユニットを、分配されたサーチ空間に均一にマッピングする。
【００８６】
そのうち、RBは、ニーズに応じて、複数のより小さい時間周波数リソースブロックに分けることができ、例えば、１個のRBを複数のunitに分割してもよく、この場合、各unitは該RBの最小分配ユニットである。本実施例では、各candidateに含まれるRBの複数の分配ユニットは、各candidateに含まれる複数のunitである。
【００８７】
そのうち、マッピングユニット1302は、PDCCHの各candidateの複数のunitを、分配されたサーチ空間内に均一に分布させる以外に、各candidateを、隣接したロジカル時間周波数リソースにマッピングすることもできる。
【００８８】
そのうち、該基地局は更に送信ユニット（図示せず）を含んでもよく、それは、１個のRBGにおいて対応するRB又はより小さいunitの順番号をUEに送信し、これによって、ユーザは自己のサーチ空間を確定し、ブラインド検出回数を減らすことができる。
【００８９】
本発明の実施例の基地局により、PDCCHの各candidateをそれぞれ離散的な時間周波数リソースにマッピングして、周波数ディバーシティー利得を取得し、これによって、PDCCHの伝送パフォーマンスを向上させることができる。
【００９０】
本発明の実施例は更にコンピュータ可読プログラムを提供し、そのうち、基地局において該プログラムを実行する時に、該プログラムはコンピュータに、前記基地局において、実施例1又は実施例2に記載の下り制御チャネルのサーチ空間のマッピング方法を実行指せる。
【００９１】
本発明の実施例は更に、コンピュータ可読プログラムを記憶した記憶媒体を提供し、そのうち、該コンピュータ可読プログラムはコンピュータに、基地局において、実施例1又は実施例2に記載の下り制御チャネルのサーチ空間のマッピング方法を実行させる。
【００９２】
本発明の上述の装置及び方法は、ハードウェアにより実現されてもよく、ハードウェアとソフトウェアとの組み合わせにより実現されてもよい。また、本発明は、このようなコンピュータ可読なプログラムにも関し、即ち、該プログラムは、ロジック部により実行されている時に、該ロジック部に、上述の装置又は構成部品を実現させることができ、又は、該ロジック部に、上述の各種方法又はステップを実現させることができる。ロジック部品は、例えば、Field  Programmableロジック部品、マイクロプロセッサ、コンピュータに用いる処理器などである。また、本発明は、さらに、上述のプログラムを記録している記憶媒体、例えば、ハードディスク、磁気ディスク、光ディスク、DVD、flashメモリ、磁気光ディスク、メモリカード、メモリスティックなどにも関する。
【００９３】
以上、本発明の好ましい実施形態を説明したが、本発明はこの実施形態に限定されず、本発明の趣旨を離脱しない限り、本発明に対するあらゆる変更は本発明の技術的範囲に属する。
【図１】
0005967218.tif 000005
【図２】
0005967218.tif 000006
【図３】
0005967218.tif 000007
【図４】
0005967218.tif 000008
【図５】
0005967218.tif 000009
【図６】
0005967218.tif 000010
【図７】
0005967218.tif 000011
【図８】
0005967218.tif 000012
【図９】
0005967218.tif 000013
【図１０】
0005967218.tif 000014
【図１１】
0005967218.tif 000015
【図１２】
0005967218.tif 000016
【図１３】
0005967218.tif 000017